(57)【要約】【課題】消しゴム１２を覆うために、押圧部材３に内キャップ１と外キャップ２からなるノックキャップを着脱可能に取り付けるノック式シャープペンシルを提供する。【解決手段】内キャップ１に前端から後方に伸びた複数の切溝１Ａを形成し、撓み可能な弾性片１Ｂを構成する。この弾性片１Ｂに内係合部を形成し、更に、内キャップ１の周面に前記切溝１Ａより延長されて長手方向後方に伸びた縦溝１Ｅを形成する。この縦溝１Ｅに外係合部を構成するとともに、内キャップ１の天部に外鍔１Ｇを形成する。また、筒状の外キャップ２の内面に係合突起２Ａを形成し、前記内キャップ１に外キャップ２を被せ、内キャップ１の縦溝１Ｅに形成した外係合部に外キャップ２の係合突起２Ａを係止することにより、内キャップ１に外キャップ２を回転不能に固定してノックキャップを構成する。前記内キャップ１の内係合部を押圧部材３に係合して取り付ける。【選択図】図１
2010111063.tif 000002
【特許請求の範囲】
【請求項１】
押圧部材を前進させることによりチャックが前進して芯を繰り出すノック式シャープペンシルにおいて、押圧部材に消しゴムを取り付け、かつ、内キャップに前端から後方に伸びた複数の切溝が形成されて撓み可能な弾性片を構成し、この弾性片に内係合部を形成し、更に、内キャップの周面に前記切溝より延長されて長手方向後方に伸びた縦溝を形成し、この縦溝に外係合部を構成するとともに、内キャップの天部に外鍔を形成し、かつ、筒状の外キャップの内面に係合突起を形成し、前記内キャップに外キャップを被せ、内キャップの縦溝に形成した外係合部に外キャップの係合突起を係止することにより内キャップに外キャップを回転不能に固定してノックキャップを構成し、前記消しゴムを覆うために内キャップの内係合部を押圧部材に係合させ押圧部材にノックキャップを取り付けることを特徴とするノック式シャープペンシル。
【請求項２】
押圧部材に突部を形成し、この突部に内キャップの凹溝からなる内係合部を係合したことを特徴とする請求項１記載のノック式シャープペンシル。
【請求項３】
内キャップを外キャップ内に内蔵し、内キャップの前端と外キャップの前端が略同一となるように構成したことを特徴とする請求項１又は２記載のノック式シャープペンシル。
【発明の詳細な説明】
【技術分野】
【０００１】
本発明は、押圧部材に取り付けた消しゴムを覆うために押圧部材にノックキャップを着脱可能に取り付けるノック式シャープペンシルに関する。
【背景技術】
【０００２】
従来、本体外側（９）を金属材料、硬質若しくは半硬質プラスチック材料で作り、内側に環状隆起部（５）を有する筒状体（１０）を形成し、本体外側（９）の下端を若干折り曲げて筒状体（１０）が抜け出さないように一体的に嵌合し、該環状隆起部（５）が芯タンクの外周に弾性的に当接するよう芯タンクの上端に嵌着させたシャープペンシルのノックキャップが知られている。（特許文献１参照）
【０００３】
しかし、従来知られているノックキャップは、本体外側（９）内に筒状体（１０）を挿入した後に、本体外側（９）の下端を若干内側に折り曲げて筒状体（１０）が抜け出さないように一体的に嵌合しなければならず、組立工数が複雑で非常にコスト高になってしまうとともに、本体外側（９）に対して筒状体（１０）が回転してしまう恐れがあった。
【特許文献１】実開昭５７−３９２７８号公報（図５参照）
【発明の開示】
【発明が解決しようとする課題】
【０００４】
本発明は、上記課題を解消し、低コストで生産でき、かつ、内キャップと外キャップが互いに回転しないノック式シャープペンシルを提供することを目的とするものである。
【課題を解決するための手段】
【０００５】
本発明は、押圧部材を前進させることによりチャックが前進して芯を繰り出すノック式シャープペンシルにおいて、押圧部材に消しゴムを取り付け、かつ、内キャップに前端から後方に伸びた複数の切溝が形成されて撓み可能な弾性片を構成し、この弾性片に内係合部を形成し、更に、内キャップの周面に前記切溝より延長されて長手方向後方に伸びた縦溝を形成し、この縦溝に外係合部を構成するとともに、内キャップの天部に外鍔を形成し、かつ、筒状の外キャップの内面に係合突起を形成し、前記内キャップに外キャップを被せ、内キャップの縦溝に形成した外係合部に外キャップの係合突起を係止することにより内キャップに外キャップを回転不能に固定してノックキャップを構成し、前記消しゴムを覆うために内キャップの内係合部を押圧部材に係合させ押圧部材にノックキャップを取り付けることを第１の要旨とする。
【０００６】
また、押圧部材に突部を形成し、この突部に内キャップの凹溝からなる内係合部を係合したことを第２の要旨とする。
【０００７】
更に、内キャップを外キャップ内に内蔵し、内キャップの下端と外キャップの下端が略同一となるように構成したことを第３の要旨とする。
【発明の効果】
【０００８】
本発明のノック式シャープペンシルは、内キャップに外キャップが簡単に組み立てられ、しかも内キャップと外キャップが回転不能になっているので、押圧部材からノックキャップを外した時に外キャップが回転して使用者に不快感を与えたり、外キャップと内キャップの位置がずれてしまう恐れがない。更に、内キャップと外キャップからなるノックキャップが低コストで生産でき、かつ、ノックキャップが押圧部材に確実に係合できる効果が奏せられるものである。
【発明を実施するための最良の形態】
【０００９】
内キャップと外キャップが互いに回転することなく、しかも押圧部材に確実に嵌合できるノックキャップを低コストで生産できるノック式シャープペンシルを実現した。
【実施例１】
【００１０】
以下、図１、図２、図３及び図４に基づいて本発明における実施例１のシャープペンシルを説明する。また、図１の左側を前方とし右側を後方とする。先ず、内キャップ１に前端から後方に伸びた切溝１Ａを円周方向等間隔に４個形成して撓み可能な弾性片１Ｂを構成し、この弾性片１Ｂの内側に円周方向に伸びた凹溝１Ｃを形成して内係合部を構成する。更に、内キャップ１の周面に円周方向に伸びた突条１Ｄを形成するとともに、前記切溝１Ａより延長されて長手方向に伸びた縦溝１Ｅを円周方向等間隔に４個形成し、この縦溝１Ｅのそれぞれに突起１Ｆからなる外係合部を構成する。更に、内キャップ１の天部には外鍔１Ｇを形成する。また、筒状の外キャップ２の後部内面に内方に突出した係合突起２Ａを円周方向等間隔に４個形成する。前記外キャップ２は内キャップ１の前方より被せられ、外キャップ２の係合突起２Ａが内キャップ１の切溝１Ａ及び縦溝１Ｅを通り縦溝１Ｅに形成された突起１Ｆを乗り越えて係合される。この時、内キャップ１の天部を指で押せば簡単に内キャップ１に外キャップ２を圧入嵌合することができる。また、内キャップ１の外鍔１Ｇと外キャップ２の後端の間に隙間が開いていれば圧入不足であることがすぐに目で確認でき、内キャップ１の前端と外キャップ２の前端が一致するまで内キャップ１の天部を押圧すれば良いので、外キャップ２と内キャップ１からなるノックキャップを非常に簡単に組み立てることができる。
【００１１】
前記ノックキャップは、外キャップ２の係合突起２Ａが内キャップ１の縦溝１Ｅに挿入されているので、内キャップ１に対して外キャップ２は回動する恐れはない。したがって、外キャップ２の周面及び内キャップ１の天部に濃度やマークを表示した場合でも、外キャップ２のマークに対して内キャップ１の表示がずれてしまったり、ノックキャップを外した時に内キャップ１が回動して使用者に不快感を与えてしまう心配は全く生じない。
【００１２】
次に、図３及び図４により前記ノックキャップをノック式シャープペンシルの押圧部材３に係合された状態を説明すると、チャック４と芯タンク５がコネクター６を介して連結され、このチャック４は振ることにより生じる重量体７の慣性力により前進させられて芯８を繰り出す。また、芯タンク５は後軸９内に内蔵された中子１０と適宜離間して構成され、中子１０に固定された押圧部材３がリターンスプリング１１により後方に付勢され、中子１０が後軸９の内段９Ａに当接されている。この押圧部材３の後部内側には消しゴム１２が取り付けられ、かつ、押圧部材３の後部外側には円周方向に伸びた突部３Ａが形成されている。この押圧部材３の後部外側に前記ノックキャップが着脱可能に取り付けられ前記消しゴム１２を覆って構成される。この時、内キャップ１の弾性片１Ｂに形成された凹溝１Ｃが押圧部材３の突部３Ａに係合され、押圧部材３にノックキャップが着脱可能に取り付けられる。
【００１３】
この実施例１においては、振ることにより生じる重量体７の慣性力によって芯８を繰り出すことができるが、ノックキャップを押圧することにより押圧部材３及び中子１０が前進し、中子１０が芯タンク５を押すことによりチャック４が前進して芯８が繰り出されたり、芯タンク５内の芯８がチャック４内に追従される。
【実施例２】
【００１４】
以下、図５に基づいて本発明における実施例２のノック式シャープペンシルを説明する。尚、図１或いは図３と同一部材は同一の符号を付してその説明を省略する。チャック１０４の後部に直接芯タンク１０５を圧入固着し、この芯タンク１０５と一体に構成された押圧部材１０３の後部内側に消しゴム１２を取り付ける。
【００１５】
また、押圧部材１０３の後部外側には円周方向に伸びた突部１０３Ａが形成され、この突部１０３Ａに内キャップ１の弾性片１Ｂに形成された凹溝１Ｃが係合され、ノックキャップにより消しゴム１２が覆われるとともに、押圧部材１０３にノックキャップが着脱可能に取り付けられる。
【００１６】
この実施例２の場合には、ノックキャップを押圧することにより芯タンク１０５が前進され、芯タンク１０５とともにチャック１０４が前進して芯８が繰り出される。
【実施例３】
【００１７】
以下、図６及び図７に基づいて本発明における実施例３のノック式シャープペンシルを説明する。尚、図１及び図３と同一部材は同一の符号を付してその説明を省略する。内キャップ１０１に前端から後方に伸びた切溝１０１Ａを円周方向等間隔に４個形成して撓み可能な弾性片１０１Ｂを構成し、この弾性片１０１Ｂの内側に円周方向に伸びた内方突条部１０１Ｈを形成して内係合部を構成する。更に、内キャップ１０１の周面に前記切溝１０１Ａより延長されて長手方向に伸びた縦溝１０１Ｅを円周方向等間隔に４個形成し、この縦溝１０１Ｅのそれぞれに突起１０１Ｆからなる外係合部を構成する。更に、内キャップ１０１の天部には外鍔１０１Ｇを形成する。
【００１８】
前記内キャップ１０１の前方より外キャップ２が被せられ、外キャップ２の係合突起２Ａが内キャップ１０１の切溝１０１Ａ及び縦溝１０１Ｅを通って縦溝１０１Ｅに形成された突起１０１Ｆを乗り越えて係合され、ノックキャップが構成される。
【００１９】
また、後部内側に消しゴム１２を取り付けた押圧部材２０３の後部外側に円周方向に伸びた凹部２０３Ｂが形成される。この押圧部材２０３の後部外側に前記ノックキャップが着脱可能に取り付けられ消しゴム１２を覆って構成される。この時、内キャップ１０１の弾性片１０１Ｂに形成された内方突条部１０１Ｈが押圧部材２０３の凹部２０３Ｂに係合され、押圧部材２０３にノックキャップが着脱可能に取り付けられる。
【産業上の利用可能性】
【００２０】
内キャップに形成した弾性片が外キャップ内に内蔵されて外観が向上するとともに、内キャップと外キャップが回転しないノックキャップが簡単に組み立てられるノック式シャープペンシルに適用できる。
【図面の簡単な説明】
【００２１】
【図１】本発明の実施例１のノック式シャープペンシルにおけるノックキャップを示す拡大断面図である。（実施例１）
【図２】本発明の実施例１のノック式シャープペンシルにおける内キャップを示す拡大正面図である。（実施例１）
【図３】本発明の実施例１のノック式シャープペンシルを示す断面図である。（実施例１）
【図４】本発明の実施例１のノック式シャープペンシルの主要部拡大断面図である。（実施例１）
【図５】本発明の実施例２のノック式シャープペンシルを示す断面図である。（実施例２）
【図６】本発明の実施例３のノック式シャープペンシルにおけるノックキャップを示す拡大断面図である。（実施例３）
【図７】本発明の実施例３のノック式シャープペンシルを示す主要部断面図である。（実施例３）
【符号の説明】
【００２２】
１  内キャップ
１Ａ  内キャップ１の切溝
１Ｂ  内キャップ１の弾性片
１Ｃ  内キャップ１の凹溝
１Ｅ  内キャップ１の縦溝
１Ｇ  内キャップ１の外鍔
２  外キャップ
２Ａ  外キャップ２の係合突起
３  押圧部材
３Ａ  押圧部材３の突部
４  チャック
８  芯
１２  消しゴム
１０１  内キャップ
１０１Ａ  内キャップ１０１の切溝
１０１Ｂ  内キャップ１０１の弾性片
１０１Ｄ  内キャップ１０１の縦溝
１０１Ｆ  内キャップ１０１の外鍔
１０３  押圧部材
１０３Ａ  押圧部材１０３の突部
１０４  チャック
２０３  押圧部材
【図１】
2010111063.tif 000003
【図２】
2010111063.tif 000004
【図３】
2010111063.tif 000005
【図４】
2010111063.tif 000006
【図５】
2010111063.tif 000007
【図６】
2010111063.tif 000008
【図７】
2010111063.tif 000009